(57)【要約】【課題】複数の発光ダイオードからの出射光を、導光板を用いることなく導光して出射する方式の照明装置において、広い領域にわたって均一な照度を達成し、かつ、ホットスポットの発生による輝度差を緩和可能な照明装置を提供する。【解決手段】照明装置１０は、線状に配列された複数のＬＥＤ１４を有する光源部２０と、光源部２０の直下近傍から一側に延びる出射面２３と、光源部２０の直上近傍から出射面２３と同一の側に延びる第１の反射体１２とを備え、第１の反射体１２は、光源部２０の直上近傍から延びるにしたがって出射面２３に近づくように構成された第１の反射面２２を含んでおり、光源部２０は、ＬＥＤ１４の光軸ｑが、出射面２３と平行な方向に対して第１の反射面２２側に傾くように設置されている。【選択図】図１
2013187183.tif 000002
【特許請求の範囲】
【請求項１】
線状に配列された複数の発光ダイオードを有する光源部と、該光源部の直下近傍から一側に延びる出射面と、前記光源部の直上近傍から前記出射面と同一の側に延びる第１の反射体とを備え、該第１の反射体は、前記光源部の直上近傍から延びるにしたがって前記出射面に近づくように構成された第１の反射面を含んでおり、前記光源部は、前記発光ダイオードの光軸が、前記出射面と平行な方向に対して前記第１の反射面側に傾くように設置されていることを特徴とする照明装置。
【請求項２】
前記第１の反射面の、前記出射面に直交し、かつ前記発光ダイオードの光軸に平行な直線を含む平面による断面の形状は、放物線をなすことを特徴とする請求項１に記載の照明装置。
【請求項３】
前記出射面と前記発光ダイオードの光軸とがなす角度は、１０度以上かつ３０度以下であることを特徴とする請求項１または２に記載の照明装置。
【請求項４】
前記出射面の上方の前記光源部の直下近傍から前記出射面と同一の側に延びる第２の反射体をさらに備えており、該第２の反射体は、前記光源部の直下近傍から延びるにしたがって前記出射面に近づくように構成された第２の反射面を含んでいることを特徴とする請求項１から３のいずれか１項に記載の照明装置。
【請求項５】
前記光源部が固定される側壁をさらに備えており、前記第１の反射体、前記側壁、及び前記第２の反射体は、押し出し成形により一体に形成された成形体からなることを特徴とする請求項４に記載の照明装置。
【請求項６】
前記第１の反射面に設けられ前記第１の反射体よりも反射率の大きい拡散反射層、及び、前記第２の反射面に設けられ前記第２の反射体よりも反射率の大きい拡散反射層のいずれか一方または両方をさらに備えることを特徴とする請求項４または５に記載の照明装置。
【請求項７】
拡散板をさらに備え、該拡散板の一面が前記出射面を構成することを特徴とする請求項１から６のいずれか１項に記載の照明装置。
【請求項８】
線状に配列された複数の発光ダイオードを有する光源部と、該光源部の直下近傍から一側に延びる出射面と、前記光源部の直上近傍から前記出射面と同一の側に延びる第１の反射体とを備え、該第１の反射体は、前記光源部の直上近傍から延びるにしたがって前記出射面に近づくように構成された第１の反射面を含んでおり、前記出射面の上方の前記光源部の直下近傍から前記出射面と同一の側に延びる第２の反射体をさらに備え、該第２の反射体は、前記光源部の直下近傍から延びるにしたがって前記出射面に近づくように構成された第２の反射面を含んでいることを特徴とする照明装置。
【発明の詳細な説明】
【技術分野】
【０００１】
本発明は、照明装置に関し、特に、出射面の側方に配置された光源からの出射光を、固体の導光板を用いることなく導光して出射面から出射させる照明装置に関する。
【背景技術】
【０００２】
従来、出射面に対して側方に光源を配置し、光源からの光を出射面まで導光して出射させるタイプの照明装置において、上記導光に固体の導光板を用いることなく、空気中を通過させる導光板レス方式の照明装置が提案されている（例えば、特許文献１参照）。
【０００３】
図７に、特許文献１に記載された照明装置を示す。図７に示す照明装置１００は、透明な反射パネル１０１に反射シート１０２が積層された反射体１１０と、反射体１１０に対向し、かつ離間して配設された拡散パネル１０３と、反射体１１０と拡散パネル１０３との間の一側方部に配設された光源１０５とを備えている。そして、反射体１１０は、光源１０５が配置された側方部から他方の側方部へと、反射体１１０と拡散パネル１０３との距離が徐々に小さくなるように湾曲しており、これによって、光源１０５からの出射光の光路が拡散パネル１０３側に向かうように変換され、照明光として出射される。
【０００４】
一般に、照明装置において、その被照明面を均一な照度で照明することは重要な課題であり、この点に関連して、特許文献１に記載の照明装置１００では、反射パネル１０１の反射面１１１を複数の角錐状の凹部を有する凹面パターンとすることにより、均一な照度を達成することが図られている。
【先行技術文献】
【特許文献】
【０００５】
【特許文献１】特開２００７−２９４２５２号公報
【発明の概要】
【発明が解決しようとする課題】
【０００６】
しかしながら、照明装置１００の照明光には、図７に矢印でその光路が示されているように、光源１０３から出射された後、反射体１１０で反射されて拡散パネル１０３から出射する光（以下、間接光ともいう）の他に、光源１０３から出射された後、反射パネル１０１に到達することなく直接拡散パネル１０３から出射する光（以下、直接光ともいう）も存在しており、本発明者等は、鋭意研究の結果、より広い領域にわたって均一な照度を達成するには、このような間接光と直接光の配光を制御することが重要であるとの知見を得るに至った。
【０００７】
また、近年、省電力化の要求に伴って、照明装置の分野においても、これまで白熱灯や蛍光灯が用いられていた種々の照明（例えば、室内灯、外灯、店舗のショーケースや陳列棚の棚下灯等）の、ＬＥＤ照明への代替が進んでいる。ＬＥＤ照明装置では、光源として使用されるＬＥＤ（発光ダイオード）の点状光源としての特性から、通常、複数のＬＥＤを所定の態様に配列して光源部が構成される。例えば、図７に示す照明装置１００の光源１０５として、ＬＥＤを用いた場合には、図７において紙面に直交する方向に、複数の光源（ＬＥＤ）１０５を線状に配列して光源部が構成されるものである。
【０００８】
そして、このように、照明装置１００をＬＥＤ照明装置として構成した場合には、各光源１０５の直下近傍に輝点（ホットスポット）が生じ、輝点とそれ以外の部分との輝度差が、視認者に不快なギラつき（グレア）感を与える要因となるといった問題がある。
【０００９】
本発明は、上記課題に鑑み、複数の発光ダイオードからの出射光を、導光板を用いることなく導光して出射する方式の照明装置において、広い領域にわたって均一な照度を達成し、かつ、ホットスポットの発生による輝度差を緩和可能な照明装置を提供することを目的とする。
【課題を解決するための手段】
【００１０】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１１】
（１）線状に配列された複数の発光ダイオードを有する光源部と、該光源部の直下近傍から一側に延びる出射面と、前記光源部の直上近傍から前記出射面と同一の側に延びる第１の反射体とを備え、該第１の反射体は、前記光源部の直上近傍から延びるにしたがって前記出射面に近づくように構成された第１の反射面を含んでおり、前記光源部は、前記発光ダイオードの光軸が、前記出射面と平行な方向に対して前記第１の反射面側に傾くように設置されていることを特徴とする照明装置（請求項１）。
【００１２】
本項に記載の照明装置によれば、光源部から出射され、第１の反射面で反射された後に出射面から出射される光（間接光）による照度分布と、光源部から出射された後、第１の反射面で反射されることなく、直接出射面から出射される光（直接光）による照度分布の良好なバランスを達成し、それによって、広い領域にわたって均一な照度を実現するとともに、ホットスポットの発生による輝度差を緩和させることが可能となる。
【００１３】
（２）（１）項に記載の照明装置において、前記第１の反射面の、前記出射面に直交し、かつ前記発光ダイオードの光軸に平行な直線を含む平面による断面の形状は、放物線をなすことを特徴とする照明装置（請求項２）。
【００１４】
本項に記載の照明装置によれば、光源部からの出射光の光路を出射面へ向けて効率良く変換し、照明装置の輝度を向上させることが可能となる。
【００１５】
（３）（１）または（２）項に記載の照明装置において、前記出射面と前記発光ダイオードの光軸とがなす角度は、１０度以上かつ３０度以下であることを特徴とする照明装置（請求項３）。
【００１６】
本項に記載の照明装置によれば、間接光と直接光とのバランスを最適化し、広い領域にわたる均一な照度、及び、ホットスポットの発生による輝度差の緩和をより効果的に達成することが可能となる。
【００１７】
（４）（１）〜（３）のいずれか１項に記載の照明装置において、前記出射面の上方の前記光源部の直下近傍から前記出射面と同一の側に延びる第２の反射体をさらに備えており、該第２の反射体は、前記光源部の直下近傍から延びるにしたがって前記出射面に近づくように構成された第２の反射面を含んでいることを特徴とする照明装置（請求項４）。
【００１８】
本項に記載の照明装置によれば、各発光ダイオードの直下近傍に発生するホットスポットによる輝度差をさらに効果的に緩和することが可能となる。
【００１９】
（５）（４）項に記載の照明装置において、前記光源部が固定される側壁をさらに備えており、前記第１の反射体、前記側壁、及び前記第２の反射体は、押し出し成形により一体に形成された成形体からなることを特徴とする照明装置（請求項５）。
【００２０】
本項に記載の照明装置によれば、第１の反射体、側壁、及び第２の反射体を含む構造物を、所望の断面を有する形状に容易かつ安価に形成することが可能となる。
【００２１】
（６）（１）〜（５）のいずれか１項に記載の照明装置において、前記第１の反射面に設けられ前記第１の反射体よりも反射率の大きい拡散反射層、及び、前記第２の反射面に設けられ前記第２の反射体よりも反射率の大きい拡散反射層のいずれか一方または両方をさらに備えることを特徴とする照明装置（請求項６）。
【００２２】
本項に記載の照明装置によれば、第１の反射面及び第２の反射面の両方に上記拡散反射層を設けない場合と比較して、照度の均一性を向上させるとともに、輝度を向上させることが可能となる。
【００２３】
（７）（１）〜（６）のいずれか１項に記載の照明装置において、拡散板をさらに備え、該拡散板の一面が前記出射面を構成することを特徴とする照明装置（請求項７）。
【００２４】
本項に記載の照明装置によれば、照明装置からの出射光を拡散させることによって、照度の均一性を向上させることが可能となる。
【００２５】
（８）線状に配列された複数の発光ダイオードを有する光源部と、該光源部の直下近傍から一側に延びる出射面と、前記光源部の直上近傍から前記出射面と同一の側に延びる第１の反射体とを備え、該第１の反射体は、前記光源部の直上近傍から延びるにしたがって前記出射面に近づくように構成された第１の反射面を含んでおり、前記出射面の上方の前記光源部の直下近傍から前記出射面と同一の側に延びる第２の反射体をさらに備え、該第２の反射体は、前記光源部の直下近傍から延びるにしたがって前記出射面に近づくように構成された第２の反射面を含んでいることを特徴とする照明装置（請求項８）。
【００２６】
本項に記載の照明装置によれば、出射面の上方の光源部の直下近傍から出射面と同一の側に延びる第２の反射体を備え、該第２の反射体は、光源部の直下近傍から延びるにしたがって出射面に近づくように構成された第２の反射面を含んでいることによって、各発光ダイオードの直下近傍に発生するホットスポットによる輝度差を効果的に緩和することが可能となる。
【発明の効果】
【００２７】
本発明は、以上のように構成したため、複数の発光ダイオードからの出射光を、導光板を用いることなく導光して出射する方式の照明装置において、広い領域にわたって均一な照度を達成し、かつ、ホットスポットの発生による輝度差を緩和または解消することが可能となる。
【図面の簡単な説明】
【００２８】
【図１】本発明の第１実施形態における照明装置の要部を示す断面図である。
【図２】図１に示す照明装置の被照明面上の照度分布を、比較例とともに示すグラフである。
【図３】（ａ）は、図１に示す照明装置の被照明面上の間接光の照度分布を、比較例とともに示すグラフであり、（ｂ）は、図１に示す照明装置の被照明面上の直接光の照度分布を、比較例とともに示すグラフである。
【図４】本発明の第２実施形態における照明装置の要部を示す断面図である。
【図５】図４に示す照明装置の光源部の位置における輝度分布を、図１に示す照明装置の同様の輝度分布と対比して示すグラフである。
【図６】図４に示す照明装置の被照明面上の照度分布を、図１に示す照明装置の同様の照度分布と対比して示すグラフである。
【図７】従来の導光板レス方式の照明装置の一例を示す断面図である。
【発明を実施するための形態】
【００２９】
以下、本発明の実施の形態を添付図面に基づいて説明する。尚、照明装置を示す各図（図１、図４）は、いずれも、その要部のみを示す模式図である。したがって、本発明の各実施形態における照明装置は、図示が省略された他の構成要素を備えるものであってもよく、また、図示された各部分の相対的な寸法は、説明のために特徴を強調して示すものであっって、必ずしも実際の縮尺を反映するものではない。
【００３０】
本発明の第１実施形態における照明装置１０は、線状に配列された複数の発光ダイオード（以下、ＬＥＤともいう）１４を有する光源部２０を備えており、図１は、照明装置１０を、複数のＬＥＤ１４のうちの１つを通り、複数のＬＥＤ１４の配列方向に直交する断面で示す断面図である。
照明装置１０は、さらに、光源部２０の直下近傍から一側（図１上、左側）に延びるように配置された拡散板１５と、光源部２０の直上近傍から出射面２０と同一の側に延びるように配置された第１の反射体１２と、光源部２０が固定される側壁１３とを備えている。照明装置１０の出射面２３は、拡散板１５の下面（装置外方を向いた主面）から構成されており、これによって、光源部２０の直下近傍から上記一側に延びるものである。
【００３１】
尚、本発明では、出射面２３に直交する方向（図１上、上下方向）を上下方向といい、この方向において、光源部２０から出射面２３に向かう向き（図１上、下方）を下方、光源部２０から第１の反射体１２へ向かう向き（図１上、上方）を上方とする。但し、このような照明装置１０の上下方向の設定は、照明装置１０の様々な応用場面において、照明装置１０が取り付けられる実際の上下方向を限定するものではない。
また、照明装置１０において、出射面２３と平行であって、かつ複数のＬＥＤ１４の配列方向に直交する方向を前後方向（図１上、左右方向）といい、この方向において、光源部２０の直下近傍から出射面２３が延びる向き（図１上、左方）を前方という。
さらに、照明装置１０において、複数のＬＥＤ１４の配列方向（図１上、紙面に直交する方向）を幅方向ともいい、照明装置１０の幅方向の延長を幅ともいう。
【００３２】
照明装置１０において、側壁１３は、第１の反射体１２の、光源部２０の直上近傍の端部と、出射面２３の、光源部２０の直下近傍の端部との間に設けられている。
また、光源部２０が有する各ＬＥＤ１４は、その出射面１４ａから光軸ｑを中心とする所定の配光分布で光を出射するように構成されており、光源部２０は、各ＬＥＤ１４の出射面１４ａが、第１の反射体１２と拡散板１５との間に形成される空間側を向くように、側壁１３に固定される。また、光源部２０において、各ＬＥＤ１４の光軸ｑは、複数のＬＥＤ１４の配列方向と直交しており、図１に示す断面（及び、図１に示す断面と平行な断面）に含まれるものである。
【００３３】
尚、光源部２０は、図１に示すように、各ＬＥＤ１４に駆動電流を供給するための回路基板１７を備えており、各ＬＥＤ１４が実装された回路基板１７を、側壁１３に配置固定するものであってもよい。
【００３４】
照明装置１０において、第１の反射体１２は、光源部２０の直上近傍から延びるにしたがって出射面２３に近づくように湾曲して形成されている。そして、第１の反射面２２は、このように湾曲した第１の反射体１２の、拡散板１５と対向する側の面（装置内方を向く面）からなり、これによって、光源部２０の直上近傍から延びるにしたがって出射面２３に近づくように構成されている。さらに、照明装置１０において、第１の反射体１２は、第１の反射面２２が、図１に示す断面、及び図１に示す断面と平行な任意の断面（言い換えれば、出射面２３に直交し、かつＬＥＤ１４の光軸ｑと平行な直線を含む平面による断面）の形状が、放物線をなすように湾曲して形成されている。
【００３５】
さらに、照明装置１０では、第１の反射体１２と側壁１３とは、アルミニウム材から押出成形により一体に形成された成形体からなり、光源部２０及び拡散板１５を含む照明装置１０の構成要素を保持する筐体の一部をなすものである。さらに、第１の反射面２２には、アルミニウム材よりも反射率の高い（例えば、反射率９５％以上）白色反射材からなる拡散反射層１２ａが設けられている。以下の説明において、第１の反射面２２による反射とは、主としてこの拡散反射層１２ａによる反射を意味する。
【００３６】
そして、照明装置１０では、光源部２０は、光源部２０が有する各ＬＥＤ１４の光軸ｑが出射面２３に平行な方向に対して、第１の反射面２２側に傾くように設置されている。この際、出射面２３に対する光軸ｑの角度（以下、取付角度ともいう）θは、好ましくは、１０度以上かつ３０度以下であり、さらに好ましくは、１０度以上かつ２０度以下である。
【００３７】
図１に示す照明装置１０は、以上のような構成により、第１の反射面２２と拡散板１５との間の空間が導光路として機能することによって、光源部２０から出射後、その一部は、第１の反射面２２により反射されて、出射面２３から出射され（間接光）、また、その一部は、第１の反射面２２により反射されることなく、直接出射面２３から出射されて（直接光）、これら間接光と直接光の混合光により、照明装置１０の下方にある被照明面（図示は省略する）を、主として出射面２３の直下から前方に当たる広い範囲にわたって照明するものである。図１には、間接光Ａの光路及び直接光Ｂの光路の例が、矢印により模式的に示されている。
【００３８】
次に、図２及び図３を参照して、照明装置１０の作用効果について説明する。
図２は、本実施形態における照明装置１０の出射面２３から３０ｃｍ下方に設置された被照明面において、光源部２０の幅方向の中心位置の直下を通り、前後方向に延びる直線上の照度〔ｌｘ〕を、比較例とともに示したグラフである。図２に記載された、０deg、１５deg、４０degのグラフは、それぞれ、ＬＥＤ１４の取付角度θが、０度、１５度、４０度の照明装置の照度分布を示しており、取付角度０度のグラフが、従来の照明装置の照度分布、取付角度１５度のグラフ及び取付角度４０度のグラフが、本実施形態における照明装置１０の照度分布である。
【００３９】
また、図２の横軸は、光源部２０の幅方向の中心位置の直下を０とした被照明面上の距離〔mm〕を示しており、負方向が前方、正方向が後方に相当する。尚、比較例における照明装置は、ＬＥＤ１４の取付角度θが０度であることを除いて、照明装置１０と同様の構成を有する。
【００４０】
図２から、本実施形態における照明装置１０のうち、LED１４の取付角度１５度の場合の照度分布は、取付角度０度の場合と比較して、光源部２０の直下（距離＝０mm）における照度が、大幅に増大するとともに、距離０mmの位置から前方の照度分布の均一性が、明らかに向上していることが分かる。
【００４１】
一方、本実施形態における照明装置１０のうち、LED１４の取付角度４０度の場合の照度分布は、取付角度０度の場合と比較して、光源部２０の直下（距離＝０mm）における照度は増大しているものの、距離０mmの位置から前方の照度分布の均一性が向上しているとまでは言えず、また、LED１４の取付角度１５度の場合の照度分布と比較すれば、その均一性は、劣化する傾向にある。
【００４２】
したがって、本実施形態における照明装置１０において、照度分布の均一性の観点から、ＬＥＤ１４の取付角度は、好ましくは、１０度以上かつ３０度以下に設定されるものであり、また、取付角度１５度の場合が特に優れた特性を有することに鑑みれば、ＬＥＤ１４の取付角度は、さらに好ましくは、１０度以上かつ２０度以下に設定されるものである。
【００４３】
但し、本実施形態における照明装置１０は、LED１４の取付角度を４０度程度としても、一定の作用効果を奏するものであり、次に、図３を参照し、照明装置１０の作用効果を、間接光Ａと直接光Ｂとのバランスの観点から説明する。
ここで、図３（ａ）及び（ｂ）は、図２に示すグラフと同様の被照明面上の照度分布を、それぞれ間接光Ａ成分による照度（図３（ａ））、及び直接光Ｂ成分による照度（図３（ｂ））に分けて示したグラフである。
【００４４】
図３（ａ）、（ｂ）から、一般に、取付角度θが増大する程、間接光Ａによる照度は増大し（図３（ａ））、直接光Ｂによる照度は減少する（図３（ｂ））ことが分かる。したがって、ＬＥＤ１４の取付角度を１０度、２０度、３０度、及び４０度とした本実施形態における照明装置１０は、そのいずれの例においても、ＬＥＤ１４の取付角度が０度である従来の照明装置と比較して、ＬＥＤ１４からの直接光Ｂを要因とするホットスポットの発生による輝度差が緩和され、ひいてはグレア感が低減するといった効果を奏するものである。
【００４５】
ここで、本実施形態における照明装置１０は、その用途によって限定されるものではないが、上述したように、照明装置１０は、その下方にある被照明面を、主として出射面２３の直下から前方に当たる広い範囲にわたって照明するものであることから、例えば、店舗等における商品等の陳列棚の棚板の下面の手前側（または奥側）に、手前側から奥側に向かう方向（または奥側から手前側に向かう方向）が照明装置１０の前方となるように取り付けることにより、一段下側の棚板上の全体を均一に照明する、所謂棚下照明装置として好適に使用されるものである。
【００４６】
そして、このような棚下照明装置としての用途の観点から、図３（ｂ）に示す直接光Ｂによる照度分布を見ると、直接光Ｂによる照度のピークが、ＬＥＤ１４の取付角度θが増大する程前方に移動することが分かる。したがって、照明装置１０を棚下照明装置として使用する場合には、照明装置１０を、棚板の下面の（奥側ではなく）手前側に、手前側から奥側に向かう方向が照明装置１０の前方となるように取り付けることにより、直接光Ｂによる照度のピークが、陳列棚の奥側に移動することになり、本実施形態における照明装置１０の図３に示したような特性を有効に利用して、陳列棚上の商品等を見る顧客にとってグレア感の少ない照明光を実現することが可能となる。
【００４７】
ここで、図１に示す照明装置１０は、拡散板１５を備えており、その下面により出射面２３が構成されるものとしたが、照明装置１０は、拡散板１５を備えることなく、導光路として機能する空間が下方に開放される構造を有するものであってもよく、出射面２３は、光源部２０の直下近傍から一側に延びる設計上の仮想面として定義されているものであってもよい。この構成は、照明光の損失を低減し、照明装置１０の輝度を向上させる上で、有利の構成である。
【００４８】
次に、図４を参照して、本発明の第２実施形態における照明装置４０について説明する。但し、照明装置４０は、第２の反射面５５を備える点を除いて、図１に示す照明装置１０と同様のものであるため、重複する説明は適宜省略し、主として照明装置１０との相違点について説明する。
【００４９】
尚、照明装置４０は、図４に示すように、出射面５３が、光源部２０（基板１７の図示は省略する）の直下近傍から一側（図４上、左側）に延びる設計上の仮想面として定義されている場合の例となっているが、勿論、照明装置４０は、照明装置１０と同様の拡散板１５を備えるものであってもよい。
【００５０】
本実施形態における照明装置４０は、出射面５３の上方の、光源部２０の直下近傍から出射面５３と同一の側（図４上、左側）に延びる第２の反射体５４をさらに備えており、この第２の反射体５４は、光源部２０の直下近傍から延びるにしたがって出射面５３に近づくように構成された第２の反射面５５を含んでいる点で、照明装置１０と相違するものである。
【００５１】
ここで、図４に示す照明装置４０において、第１の反射体５２及び側壁５３は、図１に示す第１の反射体１２及び側壁１３と同様に、アルミニウム材から押出成形により一体に形成された成形体からなるものであり、さらに、照明装置４０では、第２の反射体５４も、側壁５３に連結するツメ部として、第１の反射体５２及び側壁５３と一体に形成されるものである。
図４に示す例では、ツメ部（第２の反射体）５４は、第２の反射面５５が、出射面５３に対して一定の傾斜角（例えば、３５度）を有する傾斜面となるように形成されている。
【００５２】
さらに、照明装置４０において、第１の反射面６２及び第２の反射面５５のいずれか一方または両方には、アルミニウム材よりも反射率の高い（例えば、反射率９５％以上）白色反射材からなる拡散反射層（図示は省略する）が設けられている。第１の反射面６２または第２の反射面５５に拡散反射層が設けられている場合、以下の説明において、第１の反射面６２または第２の反射面５５による反射とは、主としてこの拡散反射層による反射を意味する。
【００５３】
以上のように構成された照明装置４０では、光源部２０から出射して光源部２０の直下近傍に向かう間接光及び直接光が、出射面５３の光源部２０の直下近傍からそのまま出射されることなく、第２の反射面５５で反射されて前方へと送られ、第１の反射面５２で反射された後、出射面５３から出射されることになる。
これによって、光源部２０の直下近傍におけるホットスポットの発生を、より効果的に抑制し、ホットスポットを要因とする輝度差をより効果的に緩和することが可能となる。
【００５４】
輝度差の緩和の効果に関して、図５を参照して説明すれば、次の通りである。
図５は、第２の反射面５５を有する本実施形態における照明装置４０と、第２の反射面５５を有しない（但し、ＬＥＤ１４を所定の取付角度θで取り付けた）第１の実施形態における照明装置１０について、それぞれの発光面２３、５３の最も光源部２０側に近い部分における幅方向の輝度分布を示すグラフであり、横軸は、光源部２０の幅方向の距離〔mm〕（幅方向の中心位置を０とする）、縦軸は、任意単位で示す輝度である。
尚、いずれの照明装置１０、４０についても、ＬＥＤ１４の取付角度θは２０度とし、照明装置４０において、第２の反射面５５の、出射面５３に対する傾斜角度αは３５度とした。
【００５５】
図５から、第２の反射面５５を有する照明装置４０は、第２の反射面５５の無い照明装置１０と比較して、光源部２０の位置における輝度差が緩和されことが分かる。
【００５６】
また、第２の反射面５５の、光源部２０から出射して光源部２０の直下近傍に向かう間接光及び直接光を、前方に送る作用について、図６を参照して説明すれば、次の通りである。
図６は、第２の反射面５５を有する本実施形態における照明装置４０と、第２の反射面５５を有しない（但し、ＬＥＤ１４を所定の取付角度θで取り付けた）第１の実施形態における照明装置１０について、図２と同様の照度分布を示すグラフである（尚、いずれの照明装置も、拡散板は備えなていない）。
図６から、第２の反射面５５を有する照明装置４０は、第２の反射面５５の無い照明装置１０と比較して、その照度分布が、ピークを取る位置を含めて、全体として前方に移動することが分かる。
【００５７】
照明装置４０の有するこの特性は、照明領域が一層広くなる点で有利なものであり、また、上述した棚下照明装置のように、照明装置４０を、光源部２０側に観察者が位置するような配置で使用することによって、グレア感を一層低減させることが可能な点で有利なものである。
【００５８】
尚、図４に示す照明装置４０では、図１に示す照明装置１０と同様に、光源部２０は、ＬＥＤ１４の光軸ｑが、出射面５３と平行な方向に対して第１の反射面６２側に傾くように設置されており、これによって、照明装置１０と同様の作用効果を奏するものである。
但し、第２の反射面５５を有する本発明に係る照明装置において、光源部２０は、ＬＥＤ１４の光軸ｑが出射面５３と平行な方向を向くように設置（取付角度θ＝０度）するものであってもよく、その場合でも、図５及び図６を参照して上述した作用効果を奏するものである。
【００５９】
以上、本発明を好ましい実施形態に基づいて説明してきたが、本発明に係る面状照明装置は、上述した実施形態に限定されるものではない。
例えば、照明装置１０、４０において、第１の反射面２２、６２は、図１に示す断面形状が放物線をなすように湾曲するものとしたが、第１の反射面２２、６２は、光源部２０の直上近傍から延びるにしたがって出射面２３、５３に近づくように構成されている限り、照明装置１０、４０に要求される仕様等に応じて任意の適切な形状とすることができる。例えば、第１の反射面２２、６２は、出射面２３、５３に対して一定の角度で傾斜する傾斜面であってもよい。
【００６０】
また、照明装置４０における第２の反射面５５は、光源部２０の直下近傍から延びるにしたがって出射面５３に近づくように構成されている限り、任意の形状に湾曲するものであってもよい。
【符号の説明】
【００６１】
１０，４０：照明装置、１１：筐体、１２，５２：第１の反射体、１３，５３：側壁、１４：発光ダイオード（ＬＥＤ）、１５：拡散板、２０：光源部、２２，６２：第１の反射面、２３，５３：出射面、５５：第２の反射面、ｑ：発光ダイオードの光軸
【図１】
2013187183.tif 000003
【図２】
2013187183.tif 000004
【図３】
2013187183.tif 000005
【図４】
2013187183.tif 000006
【図５】
2013187183.tif 000007
【図６】
2013187183.tif 000008
【図７】
2013187183.tif 000009